(57)【要約】【課題】光信号の歪の発生を低減しつつ、機器の小型化及び低コスト化を実現すること。【解決手段】この光送信器１は、発光素子３からの出力光を、データ変調信号を基にＢＰＳＫ変調させるＭＺ型光変調器５と、ＭＺ型光変調器５に対してデータ変調信号を印加する増幅器７と、ＭＺ型光変調器５に印加されるデータ変調信号に直流バイアス電圧を重畳するオートバイアスコントロール回路１１と、増幅器７によって印加される変調信号のクロスポイント変動を検出し、クロスポイント変動を基に直流バイアス電圧を制御するクロスポイント変動検出回路１３とを備える。【選択図】図１
2013068832.tif 000002
【特許請求の範囲】
【請求項１】
光源からの出力光を、変調信号を基にＢＰＳＫ変調させるＢＰＳＫ変調器と、
前記ＢＰＳＫ変調器に対して前記変調信号を印加する変調信号供給部と、
前記ＢＰＳＫ変調器に印加される前記変調信号に直流バイアス電圧を重畳するバイアス制御回路と、
前記変調信号供給部によって印加される前記変調信号のクロスポイント変動を検出し、前記クロスポイント変動を基に前記直流バイアス電圧を制御するクロスポイント変動検出部と
を備えることを特徴とする光送信器。
【請求項２】
前記クロスポイント変動検出部は、ローパスフィルターを有し、前記変調信号を前記ローパスフィルターを介してモニタすることにより前記クロスポイント変動を検出する、
ことを特徴とする請求項１記載の光検出器。
【請求項３】
前記クロスポイント変動検出部は、前記クロスポイント変動に対する前記直流バイアス電圧の最適値を予め記憶するデータ記憶部を有し、前記データ記憶部を参照することによって、前記クロスポイント変動に対する前記バイアス電圧の最適値を決定する、
ことを特徴とする請求項１又は２記載の光検出器。
【請求項４】
光源からの出力光を変調信号を基にＢＰＳＫ変調させるＢＰＳＫ変調器を含む光送信器において、前記ＢＰＳＫ変調器に印加するバイアス電圧を制御する光送信器の制御方法であって、
前記ＢＰＳＫ変調器に対して前記変調信号を印加し、
前記ＢＰＳＫ変調器に印加される前記変調信号に直流バイアス電圧を重畳し、
印加される前記変調信号のクロスポイント変動を検出し、前記クロスポイント変動を基に前記直流バイアス電圧を制御する、
ことを特徴とする光送信器の制御方法。
【発明の詳細な説明】
【技術分野】
【０００１】
本発明は、光送信器及びその制御方法に関するものである。
【背景技術】
【０００２】
従来から、光通信システムにおける信号光の変調方式の一つとして２値位相偏移変調（BPSK：Binary Phase-shift Keying）が知られており、大容量の長距離通信システムへの適用が検討されている。この変調方式を実現するには、マッハツェンダ（MZ）型光変調器等の外部変調器が使用される。具体的には、下記特許文献１に記載されるように、バイアス電圧をMZ型光変調器の半波長電圧ＶΠに等しくなるように設定し、このバイアス電圧に２×ＶΠの振幅を有するデータ変調信号を重畳させてMZ型光変調器に与える。
【０００３】
ところで、特許文献１に記載の光送信器では、MZ型光変調器に対する駆動信号のクロスポイントレベルを最適化するために、信号光のモニタ光のスペクトル成分が最小値に近づくように駆動信号のクロスポイントレベルをフィードバック制御している。
【先行技術文献】
【特許文献】
【０００４】
【特許文献１】特開２０１０−２４３７６７号公報
【発明の概要】
【発明が解決しようとする課題】
【０００５】
しかしながら、上述した従来の光送信器では、モニタ光のスペクトル成分を抽出するための光分岐器や光フィルタ等の余分な光部品が必要となる。従って、より簡易な部品構成で機器の小型化及び低コスト化を実現することが望まれる。
【０００６】
そこで、本発明は、かかる課題に鑑みて為されたものであり、光信号の歪の発生を低減しつつ、機器の小型化及び低コスト化を実現する光送信器の制御方法及び光送信器を提供することを目的とする。
【課題を解決するための手段】
【０００７】
上記課題を解決するため、本発明の光送信器は、光源からの出力光を、変調信号を基にＢＰＳＫ変調させるＢＰＳＫ変調器と、ＢＰＳＫ変調器に対して変調信号を印加する変調信号供給部と、ＢＰＳＫ変調器に印加される変調信号に直流バイアス電圧を重畳するバイアス制御回路と、変調信号供給部によって印加される変調信号のクロスポイント変動を検出し、クロスポイント変動を基に直流バイアス電圧を制御するクロスポイント変動検出部とを備える。
【０００８】
或いは、本発明の光送信器の制御方法は、光源からの出力光を変調信号を基にＢＰＳＫ変調させるＢＰＳＫ変調器を含む光送信器において、ＢＰＳＫ変調器に印加するバイアス電圧を制御する光送信器の制御方法であって、ＢＰＳＫ変調器に対して変調信号を印加し、ＢＰＳＫ変調器に印加される変調信号に直流バイアス電圧を重畳し、印加される変調信号のクロスポイント変動を検出し、クロスポイント変動を基に直流バイアス電圧を制御する。
【０００９】
このような光送信器、或いは光送信器の制御方法によれば、光源からの出力光が、直流バイアス電流が重畳された変調信号によってＢＰＳＫ変調されることにより、光信号として出力される。このとき、重畳される直流バイアス電圧が変調信号のクロスポイント変動に基づいて制御されるので、光信号の歪が低減される。また、変調信号をモニタして直流バイアス電圧を制御する構成を採用することにより、余分な光部品が不要になり、機器の小型化及び低コスト化が可能になる。
【００１０】
ここで、クロスポイント変動検出部は、ローパスフィルターを有し、変調信号をローパスフィルターを介してモニタすることによりクロスポイント変動を検出することが好適である。かかる構成を採れば、簡易な構成でクロスポイントの変動を検出できる。
【００１１】
また、クロスポイント変動検出部は、クロスポイント変動に対する直流バイアス電圧の最適値を予め記憶するデータ記憶部を有し、データ記憶部を参照することによって、クロスポイント変動に対するバイアス電圧の最適値を決定することも好適である。この場合、クロスポイント変動に対して出力歪を低減するバイアス電圧を適切に制御することができる。
【発明の効果】
【００１２】
本発明の光送信器及びその制御方法によれば、光信号の歪の発生を低減しつつ、機器の小型化及び低コスト化を実現することができる。
【図面の簡単な説明】
【００１３】
【図１】本発明の好適な一実施形態に係る光送信器の概略構成を示す回路図である。
【図２】（ａ）は、図１のＭＺ型光変調器のデータ変調信号に対する光出力特性を示すグラフ、（ｂ）は、図１のＭＺ型光変調器によりＢＰＳＫ変調された光変調信号（二乗検波波形）を示す図である。
【図３】図１のＭＺ型光変調器に印加されるデータ変調信号、及びそれに対応して出力される光変調信号の二乗検波波形のアイパターンを示す図である。
【図４】（ａ）は、ＭＺ型光変調器の光出力特性とデータ変調信号との関係を示す図、（ｂ）は、（ａ）に対応して出力される光変調信号の二乗検波波形のアイパターンを示す図である。
【図５】図１のＭＺ型光変調器から出力される光変調信号の二乗検波波形のアイパターンを示す図である。
【図６】図１の光送信器におけるクロスポイント変動に対するバイアス電圧偏移と伝送損失との関係を示すグラフである。
【図７】図１の光送信器においてクロスポイント変動に対して光変調信号の歪を最小にするバイアス電圧偏移値を示すグラフである。
【図８】データ変調信号のクロスポイントレベルと平均電圧との関係を示す図である
【発明を実施するための形態】
【００１４】
以下、添付図面を参照しながら本発明による光送信器およびその制御方法の実施の形態を詳細に説明する。なお、図面の説明において同一の要素には同一の符号を付し、重複する説明を省略する。
【００１５】
図１は、本発明の好適な一実施形態に係る光送信器の概略構成を示す回路図である。この光送信器１は、外部からのデータ変調信号によって変調された光変調信号を生成するための装置である。この光送信器１は、光源であるレーザダイオード等の発光素子３と、発光素子３からの光を受けて、データ変調信号を基にその光をＢＰＳＫ変調方式で変調して出力するＢＰＳＫ変調器であるＭＺ型光変調器５と、ＭＺ型光変調器５にデータ変調信号を印加する増幅器（変調信号供給部）７と、ＭＺ型光変調器５から出力される光変調信号の光強度を検出するフォトダイオード（ＰＤ）等の光検出素子９と、光検出素子９から受けた検出信号に応じて直流バイアス電圧を調整して、その直流バイアス電圧をデータ変調信号に重畳させるオートバイアスコントロール回路（バイアス制御回路）１１と、データ変調信号のモニタ結果に応じて直流バイアス電圧を制御するクロスポイント変動検出回路（クロスポイント変動検出部）１３とを有している。
【００１６】
ＭＺ型光変調器５は、発光素子３からの入力光を２つの導波路１７，１９で分岐させた後に再び合流させて光変調信号を生成する。それぞれの導波路１７，１９には、電極２１，２３が設けられ、電極２１には増幅器７を介して外部から“０”、“１”の二値のデータビットを示すデータ変調信号が印加され、電極２３にはオートバイアスコントロール回路１１から直流バイアス電圧が印加される。これによって、データ変調信号に直流電圧がバイアスされる。
【００１７】
図２（ａ）には、ＭＺ型光変調器５のデータ変調信号に対する光出力特性を示している。同特性は、電極２１，２３間の電位差を半波長電圧ＶΠで正規化した値と、出力光との関係を示しており、実線は出力光パワーの特性Ｓ１、点線は出力光電界の特性Ｓ２を表している。特性Ｓ１，Ｓ２に示すように、ＭＺ型光変調器５の出力光は電位差の変化に対して周期的に増減する特性を示す。ここで、特性Ｓ２が極大となる出力光電界の位相（光位相）“０”に対応する電位差と、特性Ｓ２が極小となる出力光電界の位相（光位相）“π”に対応する電位差との間で、データ変調信号を変化させれば、ＢＰＳＫ変調された光変調信号を得ることができる。詳細には、データ変調信号の直流バイアスを半波長電圧ＶΠに設定し、データ変調信号の振幅を２×ＶΠに設定することで、ＢＰＳＫ変調が実現できる。図２（ｂ）は、このようにしてＢＰＳＫ変調された光変調信号（二乗検波波形）を示している。
【００１８】
オートバイアスコントロール回路１１は、光検出素子９から受けた検出信号に基づいて、直流バイアス電圧を適正値に保って電極２３に印加する。このときのバイアス電圧の制御方法は公知の方法（特開平８−２４８３６６号公報等に記載の方法）を採用できる。また、オートバイアスコントロール回路１１は、クロスポイント変動検出回路１３から出力される目標値に応じて、その目標値に応じた直流バイアス電圧を電極２３に印加する機能も有する。
【００１９】
クロスポイント変動検出回路１３は、データ変調信号におけるクロスポイントの変動を検出することによって、光変調信号の歪を予測する回路である。すなわち、クロスポイント変動検出回路１３は、積分器であるローパスフィルター２５を含んでおり、ローパスフィルター２５を介して、増幅器７が印加するデータ変調信号を受信する。特殊な例を除いては、光通信でのマーク率は５０％であるので、ローパスフィルター２５を介してモニタしたデータ変調信号のレベルはクロスポイントレベルを示す。このときのクロスポイントの検出には、クロスポイントがずれた場合にＮＲＺ信号の平均電圧にオフセットが発生することが利用される（図８）。
【００２０】
さらに、クロスポイント変動検出回路１３は、モニタしたクロスポイントレベルの変動に対して、データ変調信号に重畳される直流バイアス電圧の目標値（最適値）を決定し、その目標値で直流バイアス電圧を印加するようにオートバイアスコントロール回路１１を制御する。詳細には、クロスポイント変動検出回路１３は、モニタされるクロスポイントレベルに対する直流バイアス電圧の目標値を、内蔵するデータ記憶部内にＬＵＴ（Look Up Table）として予め記憶しており、このＬＵＴを参照することにより、クロスポイント変動に対する目標値を決定する。なお、クロスポイント変動検出回路１３は、ＬＵＴを利用して直流バイアス電圧を制御しているが、この制御をアナログ回路を利用した帰還制御によって実行してもよい。
【００２１】
ここで、クロスポイント変動検出回路１３内のＬＵＴの設定値について説明する。なお、以下の説明では、クロスポイントの位置を、極小値とクロスポイントとの差のデータ変調信号の振幅に対する割合で評価するものとする。
【００２２】
図３（ａ）には、ＭＺ型光変調器５に印加されるデータ変調信号のアイパターンの一例を示しており、図３（ｂ）には、このデータ変調信号に対してＭＺ型光変調器５から出力される光変調信号の二乗検波波形のアイパターンを示している。このようにデータ変調信号のクロスポイントずれが無い場合には、光変調信号の歪も少ない。ここで、図３はクロスポイントが５０％の状態を示している。一方、図３（ｃ）には、クロスポイントがずれたデータ変調信号のアイパターン、すなわちクロスポイントが７０％の場合の波形を示し、図３（ｄ）には、このデータ変調信号に対する光変調信号の二乗検波波形のアイパターンを示している。データ変調信号にクロスポイント変動（偏り）が発生すると、二乗検波波形の立ち上がりおよび立下りの間隔が揺らぐ歪（ジッタ）として観測されてしまう。この場合、光信号を受信した際にＢＰＳＫ信号の位相判定を誤る確率が増加してしまう。
【００２３】
また、図４（ａ）に示すように、ＭＺ型光変調器５に印加されるデータ変調信号の直流バイアスが、半波長電圧ＶΠからずれて設定された場合には、そのときに出力される光変調信号の二乗検波波形は、図４（ｂ）にようになる。このように、直流バイアスが変動した状態でも二乗検波波形の歪が観測される。さらに、図５には、データ変調信号にクロスポイント変動と直流バイアスのずれの両方が存在する場合の、光変調信号の二乗検波波形を示している。この場合には、二つの要因が重なって波形歪が発生する。
【００２４】
実際のＢＰＳＫ変調器に使用されるドライバ回路においては、製造時のばらつきもあり、データ変調信号のクロスポイントが理想値からずれているのが一般的である。厳密にクロスポイント５０％で特性を規定（良否判定）した場合、製造時、動作時の条件が厳しくなるため歩留まりが低下する。個々のドライバを含む装置毎のクロスポイントの変動をある程度許容できるように信号品質の低下を改善する機能を光送信器に与えることが望まれる。
【００２５】
そこで、本実施形態の光送信器１では、データ変調信号のクロスポイント変動と直流バイアス電圧偏移との間に次のような特性があることを利用する。図６には、クロスポイントＸＰが３０％、５０％、７０％の場合のバイアス電圧偏移（ＶΠ比）と伝送損失（ペナルティ：ｄＢ）との関係を示している。この半波長電圧ＶΠは、図２（ａ）において２系統の導波路を伝搬する光に対して位相差πを与える電圧に相当する。このように、クロスポイントが３０％、７０％でクロスポイントずれが存在する場合には、バイアス電圧偏移を敢えて発生させることにより、伝送損失を極小にすることができることが見て取れる。また、図７には、クロスポイントずれを様々変更した場合に光変調信号の歪を最小にするバイアス電圧偏移値を示している。この特性に対応させてデータ変調信号のクロスポイント変動に対して敢えてバイアス電圧偏移を生じさせることにより、光信号における歪を改善することが可能である。詳細には、クロスポイントが５０％から増大した場合には直流バイアス電圧を電圧ＶΠから減少させ、クロスポイントが５０％から減少した場合には、直流バイアス電圧を電圧ＶΠから増大させれば歪が減少することが理解できる。
【００２６】
このことを利用して、クロスポイント変動検出回路１３内のＬＵＴには、図７の特性に対応するように、クロスポイントレベルに対するバイアス電圧目標値が予め記憶される。そして、クロスポイント変動検出回路１３は、検出したクロスポイントレベルに対応するバイアス電圧目標値をＬＵＴから参照し、この目標値で直流バイアス電圧を印加するように制御することにより、光信号の歪を補償する。
【００２７】
以上説明した光送信器１における出力光の制御時の動作について説明する。まず、データ変調信号が増幅器７を介してＭＺ型光変調器５に印加されると同時に、オートバイアスコントロール回路１１によって、光検出素子９から受けた検出信号に基づいて適正値に保たれた直流バイアス電圧がデータ変調信号に重畳される。それとともに、クロスポイント変動検出回路１３により、データ変調信号のクロスポイント変動が検出され、そのクロスポイント変動に対する直流バイアス電圧の目標値が決定され、この目標値を基にデータ変調信号に重畳する直流バイアス電圧が制御される。
【００２８】
上述したような光送信器１およびその制御方法によれば、発光素子３からの出力光が、直流バイアス電流が重畳されたデータ変調信号によってＢＰＳＫ変調されることにより、光信号として出力される。このとき、重畳される直流バイアス電圧がデータ変調信号のクロスポイント変動に基づいて制御されるので、光信号の歪が低減される。従来のＢＰＳＫ変調器の制御方法は、変調器の光出力をモニタし、光フィルタを用いて特定の周波数を抽出して特定周波数成分が最小になるように変調器のドライバの動作条件を変更制御するものであった。このような従来技術では、光出力の品質は向上するものの、キャリア光（発光素子からのＤＣ光）の光周波数から信号周波数（駆動信号周波数）の整数倍離れた光周波数のみを抽出する超狭帯域光フィルタが必要となる。これに対して、本実施形態では、データ変調信号をモニタして直流バイアス電圧を制御する構成を採用することにより、超狭帯域光フィルタ等の余分な光部品が不要になり、機器の小型化及び低コスト化が可能になる。
【００２９】
また、クロスポイント変動検出回路１３は、ローパスフィルター２５を介してデータ変調信号をモニタすることにより、簡易な構成でクロスポイントの変動を検出できる。さらに、クロスポイント変動検出回路１３は、ＬＵＴを参照することによってクロスポイント変動に対するバイアス電圧の最適値を決定するので、クロスポイント変動に対して出力歪を低減するバイアス電圧を適切に制御することができる。
【符号の説明】
【００３０】
１…光送信器、３…発光素子（光源）、５…ＭＺ型光変調器（ＢＰＳＫ変調器）、７…増幅器（変調信号供給部）、１１…オートバイアスコントロール回路（バイアス制御回路）、１３…クロスポイント変動検出回路（クロスポイント変動検出部）、２５…ローパスフィルター。
【図１】
2013068832.tif 000003
【図６】
2013068832.tif 000004
【図７】
2013068832.tif 000005
【図８】
2013068832.tif 000006
【図２】
2013068832.tif 000007
【図３】
2013068832.tif 000008
【図４】
2013068832.tif 000009
【図５】
2013068832.tif 000010